(57)【要約】      （修正有）【課題】太陽電池パネルを、ずれや、動揺することなく安定させ、脱落することなく、安全を保持する太陽電池パネルの台座用受け金具を提供する。【解決手段】太陽電池パネル本体の設置固定にあたり、掴み金具１の上部に、本考案の両端の形状を屈曲させた受け金具３を設置し、太陽電池パネルの固定枠４の下面端部を、受け金具３の屈曲させた立上部面に嵌合し、次に、太陽電池パネルの固定枠４の上面に、５の押えつけ金具を設置したら、ボルト２を各１・３・５の中央部に設けてある挿入孔に挿入し、ボルト２の上部から、ワッシャー６とスプリングワッシャー７とナット８を挿入して締付固定する。これにより太陽電池パネルの固定枠を掴むという機能が増え、確実堅固に固定できるので、耐衝撃の際にも、太陽電池パネルは、ずれや、動揺することなく安定し、脱落することがなく、安全を保持する。【選択図】図１
0003184187.tif 000002
【実用新案登録請求の範囲】
【請求項１】
太陽電池パネルと一対の固定枠下面端部の断面部と、本考案の受け金具の屈曲させた立上部面とを嵌合し、押圧固定することで、ずれや、動揺を防止することができる、太陽電池パネルの台座用受け金具。
【考案の詳細な説明】
【技術分野】
【０００１】本考案は、太陽電池パネルと一対の固定枠を太陽電池パネル設置の対象となる躯体に固定する際の、押圧固定を強化する取付金具に関するものである。
【背景技術】
【０００２】太陽電池パネルを設置固定する際は、太陽電池パネル本体が四方にあらかじめ金属製の固定枠が接合された形状となっており、この固定枠の上面と下面を、金属製の台座用金具と押さえつけ金具を配置し、固定枠を押さえ付けて固定する構造を採っている。【０００３】このとき、従来の設置固定は、太陽電池パネルと一対の金属製の固定枠の上下面に、金属製の台座用金具と押さえつけ金具を配置し、ボルト締めによる押圧で固定していた。つまり、太陽電池パネルの外周枠を、予めボルト締めのための挿入孔を中心部に設けてある台座用金具と押えつけ金具にボルトを通し、そのボルトを締めて押圧固定していた。
【考案の概要】
【考案が解決しようとする課題】
【０００４】しかし、太陽電池パネルと一対の外周固定枠を押圧固定する方法では、一対の固定枠の下面端部の形状は断面形状となっており、耐衝撃を受けた際に、太陽電池パネルが動揺し易く、ずれたり、安定性が不足し、落下の危険性等の欠点が認められる。【０００５】そこで、上記従来品の欠点を解決して、太陽電池パネルの安定性を確保し信頼性のある、取付金具を提供することを目的とする。
【課題を解決するための手段】
【０００６】本考案は、太陽電池パネルと一対の外周固定枠の下面端部は断面形状のため、押圧固定に使用されているボルト締めのナットが耐衝撃により緩み、太陽電池パネルにぐらつきなどの不具合が生じたり、太陽電池パネル強度をこえる耐衝撃により、太陽電池パネル破損による脱落等の欠点を解決するための手段として、台座となる受け金具の両端または一方端部の形状を屈曲させた立上形状とし、太陽電池パネルと一対の固定枠の下面端部の断面部と、台座用受け金具の屈曲させた立上部面を嵌合させることで、問題点を解決している。【０００７】前記の、両端または一方端部の形状を屈曲させた台座用受け金具の屈曲角度は、太陽発電パネルと一対の固定枠の形状に合わせてその形状角度は自由に変えることができる。【０００８】また、太陽電池パネル設置の傾斜角度に合わせ、両端または一方端部の形状を屈曲させた台座用受け金具ステイの長さも自由に調整できる。【０００９】なお、両端または一方端部の形状を屈曲させた受け金具は、押えつけ金具と太陽電池パネルと一対の固定枠と着脱自在に設けられる。
【考案の効果】
【００１０】台座用受け金具の両端または一方端部の形状を屈曲させた立上形状とし、太陽電池パネルと一対の固定枠下面端部の断面部と、受け金具の屈曲させた立上部面を嵌合することで、固定枠上面部を押圧する押えつけ金具と合わせて、パネルの固定枠を掴む機能が増え、確実堅固に固定できるので、耐衝撃の際にも、太陽電池パネルは、ずれや、動揺することなく安定し、脱落することがなく、安全を保持する。
【図面の簡単な説明】
【００１１】
【図１】本考案の一実施例の形態に係る、本考案の受け金具を、隣接させる太陽電池パネルの中間部に設置した固定方法を示す図である。
【図２】本考案の一実施例の形態に係る、本考案の受け金具を、独立する太陽電池パネルの端部に設置した固定方法を示す図である。
【図３】太陽電池パネルの端部、中間部に本考案の受け金具を設置した一実施例を示す図である。
【図４】本考案の受け金具を使用し、傾斜角度を設け、独立する太陽電池パネルを設置した一実施例を示す図である。
【考案を実施するための形態】
【００１２】  端部を屈曲させた受け金具を、太陽電池パネルと一対の外周固定枠の台座として使用し、台座にパネル固定枠を据え、パネル固定枠の下面端部と、受け金具の屈曲させた立上部面を嵌合させることで、パネル位置が確定される。その後、パネル固定枠上面に押えつけ金具をあて、受け金具と押えつけ金具を一体として締付けることで、押圧固定は終了する。
【実施例】
【００１３】  図１より、隣接させる太陽電池パネルの中間部への設置方法である。掴み金具１の上部に、本考案の両端の形状を屈曲させた受け金具３を設置し、隣接させる各々のパネル固定枠４の下面端部を、受け金具３の屈曲させた立上部面に嵌合し、設置する。次に、各々のパネル固定枠４の上面に、５の押えつけ金具を設置したら、ボルト２を各１・３・５の中央部に設けてある挿入孔に挿入し、ボルト２の上部から、ワッシャー６とスプリングワッシャー７とナット８を挿入して締付固定する。【００１４】  図２より、独立する太陽電池パネルの端部への設置方法である。掴み金具１の上部に、本考案の端部の形状を屈曲させた受け金具９を設置し、独立するパネル固定枠４の下面端部を、受け金具９の屈曲させた立上部面に嵌合し、設置する。次に、パネル固定枠４の上面に、１０の押えつけ金具を設置したら、ボルト２を各１・９・１０の中央部に設けてある挿入孔に挿入し、ボルト２の上部から、ワッシャー６とスプリングワッシャー７とナット８を挿入して締付固定する。
【産業上の利用の可能性】
【００１５】  従来の、太陽電池パネルの多くは、四方を囲む固定枠と一対となっているため、従来の台座用金具を、本考案の、両端または一方端部の形状を屈曲させた受け金具に変更するだけで、より安全を保持することができる。また、両端または一方端部の形状を屈曲させた受け金具の製造原価は安価であり、従来の取り付け工事価格コストと同等価格で設置できるため、今後の太陽電池市場を考えると将来性は十分にある。
【符号の説明】
【００１６】１  掴み金具
２  ボルト
３  両端を屈曲させた立上部形状からなる受け金具
４  太陽電池パネルと一対の固定枠
５  両端押えつけ金具
６  ワッシャー
７  スプリングワッシャー
８  ナット
９  一方の端部を屈曲させた立上部形状からなる受け金具
１０  端部押えつけ金具
【図１】
0003184187.tif 000003
【図２】
0003184187.tif 000004
【図３】
0003184187.tif 000005
【図４】
0003184187.tif 000006
【手続補正書】
【提出日】平成25年3月21日(2013.3.21)
【手続補正１】
【補正対象書類名】実用新案登録請求の範囲
【補正対象項目名】全文
【補正方法】変更
【補正の内容】
【実用新案登録請求の範囲】
【請求項１】
太陽電池パネルと一対の外周固定枠の台座となる受け金具であって、その受け金具の両端または一方端部の形状が屈曲させた立上形状であることを特徴とする太陽電池パネルの外れ止め受け金具。